(57)【要約】      （修正有）【課題】大きめの包装用容器の上に小さめの包装用容器が安定して積み重なる包装用容器を提供すること。【解決手段】第１の包装用容器１の平面視形状と第２の包装用容器２の平面視形状との相似比が６．５：３．５〜５．５：４．５であり、第１の包装用容器上に第２の包装用容器を２つまで載置可能であることにより、第１の包装用容器に第２の包装用容器が積み重なった状態において見た目上のバランスが最適化されると共に、第２の包装用容器が２つ載置可能であれば、消費者に提供する食品のバリエーションを増やすことができる。【選択図】図２
2018118751.tif 000002
【特許請求の範囲】
【請求項１】
第１の包装用容器と第２の包装用容器とを備えており、
前記第１の包装用容器の平面視形状と前記第２の包装用容器の平面視形状との相似比は６．５：３．５〜５．５：４．５であり、
前記第１の包装用容器上に前記第２の包装用容器を２つまで載置可能である
ことを特徴とする包装用容器。
【請求項２】
前記第２の包装用容器が、前記第１の包装用容器に対して９０度回転させた向きかつ左右対称に載置可能である
ことを特徴とする請求項１に記載の包装用容器。
【請求項３】
前記第１の包装用容器に備えた蓋体の天面部が、上方に突出した蓋体天面凸部を有し、
前記第２の包装用容器に備えた容器本体の底部が、前記蓋体天面凸部に嵌る本体底凸部を有する
ことを特徴とする請求項１又は２に記載の包装用容器。
【請求項４】
前記第２の包装用容器に備えた容器本体が、一方の長手方向の中央部分が内側に窪んだ窪み部を有する
ことを特徴とする請求項３に記載の包装用容器。
【請求項５】
前記第１の包装用容器に備えた蓋体の天面部が、周縁から上方に突出した蓋体天面周縁リブ部を有し、
前記第２の包装用容器が、前記蓋体天面凸部と前記蓋体天面周縁リブ部との間に載置可能である
ことを特徴とする請求項３又は４に記載の包装用容器。
【発明の詳細な説明】
【技術分野】
【０００１】
本発明は、例えば、小売店で販売される食品を収納する包装用容器に関するもので、さらに詳しくは、積み重ねに適したサイズの異なる包装用容器同士を組み合わせた包装用容器に関するものである。
【背景技術】
【０００２】
従来から、スーパーマーケット・コンビニエンスストア・デパート等の小売店での弁当や惣菜等の食品販売では、様々な業態にて消費者に食品が提供されてきた。例えば、予め食品を包装用容器に盛り付けた状態で販売する業態は、消費者にとって所望の量目か否かに関わらず商品購入せざるを得なかったものの、迅速に商品を購入できる点が好まれていた。一方、ディスプレーに展示された食品を注文に応じて盛り付けて販売する業態は、購入できるまで相応の時間がかかるものの、消費者にとって所望の量目を指定して商品購入できる点が好まれていた。
【０００３】
ところが、双方の業態にとって、複数の商品の積載（重ね積み）について共通の問題があった。すなわち、食品が盛り付けられた複数の商品の配送時や陳列時及び消費者による持ち帰り時に、積み重ねた商品のバランスが崩れて倒れてしてしまうことがあった。このような問題の原因の一つには、積み重ねた商品同士が水平方向に位置ずれしてしまうことにあり、上下双方の包装用容器の形状が工夫されてきた。
【０００４】
例えば、上側の容器本体の４つの脚部の内側に下側の蓋の積み重ね用突部が係合することにより、上側の容器の水平方向の位置ずれを防止する発想が開示されている（例えば、特許文献１参照。）。詳細には、脚部が容器の長辺と短辺に沿った底面視Ｌ字状に形成されているので、前後方向（例えば短辺に沿った方向）と左右方向（例えば長辺に沿った方向）の二方向の位置ずれを防止する効果が期待されていた。
【先行技術文献】
【特許文献】
【０００５】
【特許文献１】特開２０１６−２１０４２２号公報
【発明の概要】
【発明が解決しようとする課題】
【０００６】
しかしながら、上述した特許文献に開示されている発想は、同一仕様かつ同一サイズの包装用容器同士しか積載できない。すなわち、蓋の仕様かつサイズに合う容器本体でなければ、蓋の積み重ね用突部に容器本体の４つの脚部の内側が係合せず、包装用容器の脚部が蓋の積み重ね用突部に引っかかってガタついたり、緩々だったりしてしまうため、安定した積み重ね状態を維持することはできない。
【０００７】
さらに、近年の小売業界では、食材の価格高騰、消費者の志向（節約、内食、健康ブーム等）及び労働力の流動（女性の社会進出等）等の社会情勢の変化に対応した商品やサービスを提供する傾向が高まっている。すなわち、好みの食品を所望の量目にて複数種類購入する女性の趣向に合わせ、食品のメニューのみならず、食品の購買意欲を向上させる視覚効果が期待できる包装用容器のデザインにも注目すべきである。
【０００８】
しかしながら、こうした小売業界の動向や消費者の事情を踏まえると、上述した特許文献を含む従来技術の包装用容器では解決できない課題が多々ある。例えば、ディスプレーに展示された食品を注文に応じて販売する業態に鑑みて、飯類や麺類等の主食を収納する大きめの包装用容器の上に、惣菜や果物等の副食を収納する小さめの包装用容器を安定して積み重ねるための技術は提案されていない。
【０００９】
このような食品の包装用容器に関する未解決の課題に対して、発明者等は創意工夫の末、従来技術と全く異なる技術的思想に基づいた新たな包装用容器の開発に行き着いた。すなわち、不変的な包装用容器共通の外形に囚われず、消費者の感情を引き付けると共に、掴みやすさ等を考慮した使い心地を追求し、かつ安定した積み重ねに必要不可欠な技術を盛り込んだ包装用容器である。
【００１０】
そこで、本発明の第１の目的は、大きめの包装用容器の上に小さめの包装用容器が安定して積み重なる包装用容器を提供することにある。また、本発明の第２の目的は、特に女性の消費者の購買意欲を高め、かつ使い心地のよい包装用容器を提供することにある。
【課題を解決するための手段】
【００１１】
すなわち、本発明による包装用容器は、第１の包装用容器と第２の包装用容器とを備えており、上記第１の包装用容器の平面視形状と上記第２の包装用容器の平面視形状との相似比は６．５：３．５〜５．５：４．５であり、上記第１の包装用容器上に上記第２の包装用容器を２つまで載置可能であってもよい。
【００１２】
また、上記第２の包装用容器が、上記第１の包装用容器に対して９０度回転させた向きかつ左右対称に載置可能であってもよい。
【００１３】
また、上記第１の包装用容器に備えた蓋体の天面部が、上方に突出した蓋体天面凸部を有し、上記第２の包装用容器に備えた容器本体の底部が、上記蓋体天面凸部に嵌る本体底凸部を有していてもよい。
【００１４】
また、上記第２の包装用容器に備えた容器本体が、一方の長手方向の中央部分が内側に窪んだ窪み部を有していてもよい。詳細には、窪み部とは、上記容器本体が所定の部分（高さ）から水平方向に切断されたときの端面において、内側に窪んだ一方の長手方向の中央部分を示してもよい。
【００１５】
また、上記第１の包装用容器に備えた蓋体の天面部が、周縁から上方に突出した蓋体天面周縁リブ部を有し、上記第２の包装用容器が、上記蓋体天面凸部と上記蓋体天面周縁リブ部との間に載置可能であってもよい。
【００１６】
「第１の包装用容器」及び「第２の包装用容器」には、所定のサイズの包装用容器（例えば、大サイズ）より深さが浅いサイズの包装用容器（例えば、中サイズ）が含まれていてもよい。
【００１７】
「平面視形状」とは、上記包装用容器が載置された面の垂直方向から上記包装用容器を視認した形状でもよく、上記面に対して包装用容器を投影した形状でもよい。
【００１８】
「相似比」は、上記平面視形状における第１の包装用容器の長手方向の寸法（又は短手方向の寸法）と第２の包装用容器の長手方向の寸法（又は短手方向の寸法）との比から算出してもよい。上記相似比を「６．５：３．５〜５．５：４．５」としたのは、６．５：３．５超だと包装用容器自体が長細くなってしまい、５．５：４．５未満だと第１の包装用容器上の載置面積に対して第２の包装用容器が２つ積み重なり難くなってしまうためであり、より好ましい相似比としては３：２でもよく、限定はない。
【００１９】
「２つまで載置可能」とは、１つのみ載置可能であることを意味してもよい。第１の包装用容器に載置された第２の包装用容器の向きは、同方向若しくは水平方向に１８０度回転した向き、又は９０度回転した向きでもよく、２つ載置の場合は同一でも対称の向きでもよい。第１の包装用容器に載置された第２の包装用容器の場所は、１つ載置の場合は中央部分（例えば、蓋体天面凸部）又は中央部分を跨いだ両側のどちらか一方、２つ載置の場合は上記両側の両方でもよい。
【００２０】
「蓋体天面凸部」及び「本体底凸部」とは、湾曲状若しくは直線状の略直方体、略立方体、又は略半球体でもよい。
【００２１】
「窪み部」には、湾曲状又は矩形状に窪んだものが含まれてもよい。なお、湾曲状の窪み部の曲率半径に限定はなく、矩形状の窪み部の幅及び奥行きに限定はない。
【発明の効果】
【００２２】
本発明による包装用容器では、第１の包装用容器の平面視形状と第２の包装用容器の平面視形状との相似比が６．５：３．５〜５．５：４．５であり、上記第１の包装用容器上に上記第２の包装用容器を２つまで載置可能であることにより、第１の包装用容器に第２の包装用容器が積み重なった状態において見た目上のバランスが最適化されると共に、安定した積み重ね状態を維持することができ、第２の包装用容器が２つ積載可能であれば、消費者に提供する食品のバリエーションを増やすことができる。
【００２３】
また、上記第２の包装用容器が、上記第１の包装用容器に対して９０度回転させた向きかつ左右対称に載置可能であることにより、第１の包装用容器上の面積を有効に活用できると共に、載置された２つの第２の包装用容器が第１の包装用容器の投影面積内に納まり、全体的にコンパクトな載置状態にて商品を提供することができる。
【００２４】
また、第１の包装用容器に備えた蓋体の天面部から上方に突出した蓋体天面凸部に、第２の包装用容器に備えた容器本体の底部が有する本体底凸部が嵌ることにより、１つの第２の包装用容器が第１の包装用容器に固定された状態で載置されているため、陳列時や運搬時に第２の包装用容器が滑ったり転倒したりすることを防ぐことができる。
【００２５】
また、第２の包装用容器に備えた容器本体が、一方の長手方向の中央部分が内側に窪んだ窪み部を有することにより、上述した蓋体天面凸部を挟んで２つの第２の包装用容器が有する窪み部が互いに向き合うように載置することができる。すなわち、窪み部が第２の包装用容器の載置場所及び載置向きの目印となり、蓋体天面凸部に窪み部を当接させることで、第２の包装用容器をより安定して載置することができる。
【００２６】
また、第２の包装用容器が、上述した第１の包装用容器に備えた蓋体の天面部の蓋体天面凸部と蓋体天面周縁リブ部との間に載置可能であることにより、第２の包装用容器を蓋体天面凸部と蓋体天面周縁リブとの間の領域に固定させることができる。すなわち、第１の包装用容器の相似形である２つの第２の包装用容器が、第１の包装用容器に備えた蓋体の天面部上かつ第１の包装用容器の投影面積内に納まり、全体的にコンパクトな載置状態にて商品を提供することができる。
【図面の簡単な説明】
【００２７】
【図１】本包装用容器の一例を示す斜視図である。
【図２】本包装用容器の一例を示す別の斜視図である。
【図３】本包装用容器の一例における第１の包装用容器に備えた容器本体の平面図である。
【図４】上記第１の包装用容器に備えた容器本体の底面図である。
【図５】上記第１の包装用容器に備えた容器本体の正面図である。
【図６】上記第１の包装用容器に備えた容器本体の背面図である。
【図７】上記第１の包装用容器に備えた容器本体の右側面図である。
【図８】上記第１の包装用容器に備えた容器本体に蓋体を装着した状態の斜視図である。
【図９】上記第１の包装用容器に備えた蓋体の平面図である。
【図１０】上記第１の包装用容器に備えた蓋体の底面図である。
【図１１】上記第１の包装用容器に備えた蓋体の正面図である。
【図１２】上記第１の包装用容器に備えた蓋体の背面図である。
【図１３】上記第１の包装用容器に備えた蓋体の右側面図である。
【図１４】上記第１の包装用容器に備えた蓋体の平面図のＡ−Ａ部分の拡大端面図である。
【発明を実施するための形態】
【００２８】
以下、図１及び図２を参照しつつ、本実施形態による包装用容器（以下、「本包装用容器」ともいう。）の概要を説明する。
【００２９】
図１及び図２に示すように、本包装用容器は、第１の包装用容器１と第２の包装用容器２とを備えており、この第１の包装用容器の平面視形状とこの第２の包装用容器の平面視形状との相似比は６．５：３．５〜５．５：４．５であり、この第１の包装用容器上にこの第２の包装用容器を２つまで載置可能であってもよい。
【００３０】
また、第２の包装用容器２，２が、第１の包装用容器１に対して９０度回転させた向きかつ左右対称に載置可能であってもよい。
【００３１】
また、第１の包装用容器１に備えた第１の蓋体１２における第１の蓋体天面部１２ａが、上方に突出した第１の蓋体天面凸部１２ａｙを有し、第２の包装用容器２に備えた第２の容器本体２１における第２の本体底部２１ａが、この第１の蓋体天面凸部に嵌る第２の本体底凸部２１ａｘを有していてもよい。
【００３２】
また、第２の包装用容器２に備えた第２の容器本体２１が、一方の長手方向の中央部分が内側に窪んだ第２の窪み部２３を有していてもよい。詳細には、窪み部２３とは、第２の容器本体２が所定の部分（高さ）から水平方向に切断されたときの端面において、内側に窪んだ一方の長手方向の中央部分を示してもよい。
【００３３】
また、第１の包装用容器１に備えた第１の蓋体１２における第１の蓋体天面部１２ａが、周縁から上方に突出した第１の蓋体天面周縁リブ部１２ａｚを有し、第２の包装用容器２が、第１の蓋体天面凸部１２ａｙと第１の蓋体天面周縁リブ部１２ａｚとの間に載置可能であってもよい。
【００３４】
次に、図１〜図１４を参照しつつ、本包装用容器の詳細な構造について説明する。
なお、第１の包装用容器及び第２の包装用容器に備えた容器本体及び蓋体の左側面図は右側面図と同一に表せるので省略してもよい。各図に表された縦・横・斜めの細線及び円弧状細線は、立体表面の形状を表す線でもよい。
【００３５】
まず、図１及び図２を参照しつつ、本包装用容器の詳細（構成・作用効果・用途等）を説明する
【００３６】
本包装用容器は、例えば、所定の食品（主食（白米・チャーハン・オムライス等）・副食（炒め物・揚げ物・煮物・その他種惣菜等）・生鮮食品（サラダ・フルーツ等））を盛り付ける弁当用やテイクアウト用に適した容器であって、これらを構成する容器として、第１の包装用容器１と、この第１の包装用容器より小さく相似形な第２の包装用容器２とを備えていてもよい。この構成によれば、複数種類の食品を消費者の所望の量目にて販売することができるため、食品の組み合せパターンを増やすことができる。
第１の包装用容器１の平面視形状と第２の包装用容器２の平面視形状との相似比は、約３：２で、この第１の包装用容器の上に第２の包装用容器が１つ又は２つまで載置可能であってもよい。この構成によれば、例えば、第１の包装用容器１に盛り付けられた主食１種類に対し、第２の包装用容器２に盛り付けられた副食や生鮮食品１種類又は２種類を組み合わせると共に、この第１の包装用容器１つ分のスペースにて店頭への陳列やビニール・紙袋への袋詰めが可能となる。
【００３７】
次に、図３〜図８を参照しつつ、第１の包装用容器１の詳細（構成・作用効果・用途等）を説明する
【００３８】
第１の包装用容器１は、食品が盛り付けられる第１の容器本体１１と、この第１の容器本体の開口部分に対して外嵌合して閉蓋する第１の蓋体１２とを備えていてもよい。さらに、第１の容器本体１１及び第１の蓋体１２における一方の長手方向の中央部分には、内側に湾曲状に窪んだ第１の窪み部１３が設けられていてもよく、この第１の窪み部の反対側に位置する他方の長手方向の全部分が外側に湾曲状に膨出していてもよく、双方の長手方向の両端部分とつながる双方の短手方向の全部分が外側に湾曲状に膨出していてもよい。この構成によれば、第１の窪み部１３及びその他の湾曲状に膨出している部分の平面視形状から豆型を想起することができると共に、消費者は湾曲部状に膨出している部分に手を宛がい易いため第１の包装用容器１を持ち上げ易い。
なお、第１の包装用容器１のサイズは、平面視形状における長手方向の寸法が１８２ｍｍ、短手方向の寸法が１３２ｍｍであってもよいが、限定はない。
【００３９】
第１の容器本体１１は、食品が載置される平坦状の第１の本体底部１１ａと、この底部の周縁から斜め上方に立ち上がっている第１の本体側壁部１１ｂと、この第１の本体側壁部の上端縁から外方に延出している第１の本体フランジ部１１ｃとを有していてもよい。さらに、第１の本体底部１１ａ、第１の本体側壁部１１ｂ及び第１の本体フランジ部１１ｃにおける一方の長手方向の中央部分には、内側に湾曲状に窪んだ第１の本体窪み部１１ｄが設けられていてもよく、この第１の本体窪み部の反対側に位置する他方の長手方向の全部分は外側に湾曲状に膨出していてもよく、双方の長手方向の両端部分とつながる双方の短手方向の全部分は外側に湾曲状に膨出していてもよい。この構成によれば、第１の本体窪み部１１ｄ及びその他の湾曲状に膨出している部分の平面視形状から豆型を想起することができると共に、消費者は湾曲状に膨出している部分に手を宛がい易いため第１の容器本体１１を持ち上げ易い。
なお、第１の容器本体１１の高さ（正面視形状における縦寸法）が３１〜４１ｍｍでもよく、この高さの低い方を中サイズ、高い方を大サイズとしてもよい。第１の本体窪み部１１ｄの曲率半径は、８０〜１１０ｍｍでもよいが、限定はない。
【００４０】
図８〜図１４に示すように、第１の蓋体１２は、第１の蓋体天面部１２ａと、この第１の蓋体天面部の周縁から斜め下方に拡開している第１の蓋体側壁部１２ｂと、この第１の蓋体側壁部の下端縁から外方に延出している第１の蓋体フランジ部１２ｃとを有していてもよい。さらに、第１の蓋体天面部１２ａ、第１の蓋体側壁部１２ｂ及び第１の蓋体フランジ部１２ｃにおける一方の長手方向の中央部分には、内側に湾曲状に窪んだ第１の蓋体窪み部１２ｄが設けられていてもよく、この第１の蓋体窪み部の反対側に位置する他方の長手方向の全部分が外側に湾曲状に膨出していてもよく、双方の長手方向の両端部分とつながる双方の短手方向の全部分が外側に湾曲状に膨出していてもよい。この構成によれば、第１の蓋体窪み部１２ｄ及びその他の湾曲状に膨出している部分の平面視形状から豆型を想起することができるのみならず、第１の蓋体天面部１２ａ上に載置された第２の包装用容器２の形状と一致してこの第２の包装用容器の位置ずれを抑制する効果が期待できる。
なお、第１の蓋体１２の高さ（正面視形状における縦寸法）が２０ｍｍでもよい。第１の蓋体窪み部１２ｄの曲率半径は、６０〜９０ｍｍでもよいが、限定はない。
【００４１】
第１の蓋体天面部１２ａは、平坦状の第１の蓋体天面中央部１２ａｘと、この第１の蓋体天面中央部の略中央部分から上方に湾曲して突出している第１の蓋体天面凸部１２ａｙと、この第１の蓋体天面中央部の周縁から上方に環状に突出している第１の蓋体天面周縁リブ部１２ａｚとを有していてもよい。第１の蓋体天面中央部１２ａｘの周縁（第１の蓋体天面周縁リブ部１２ａｚの内周縁）の輪郭は、第１の包装用容器１及び第２の包装用容器２における平面視形状の輪郭と異なっていてもよい（相似形でなくてもよい）。この構成によれば、第１の包装用容器１に対して９０度回転させた向きで載置される第２の包装用容器２の幅に第１の蓋体天面中央部１２ａｘの幅を合せることができる。すなわち、第１の蓋体天面凸部１２ａｙの長手方向の端部分から同方向の延長線上に位置する第１の蓋体天面周縁リブ部１２ａｚの内周縁までの距離（幅）が第２の包装用容器２の短手方向の幅と略同等、かつ／又は第１の蓋体天面凸部１２ａｙが介在しない部分における第１の蓋体天面周縁リブ部１２ａｚの対向する内周縁間の距離（幅）が第２の包装用容器２の長手方向の幅と略同等であれば、第２の包装用容器２は第１の蓋体天面凸部１２ａｙと第１の蓋体天面周縁リブ部１２ａｚ、かつ／又は対向する第１の蓋体天面周縁リブ部１２ａｚに挟まれるため、この第２の包装用容器を第１の蓋体天面部に対して位置ずれし難くすることができる。
なお、第１の蓋体天面凸部１２ａｙの曲率半径は、８０〜１１０ｍｍでもよいが、９０〜１００ｍｍであれば好ましく、限定はない。第１の蓋体天面周縁リブ部１２ａｚの幅寸法は、１０〜２０ｍｍでもよいが、限定はない。第１の蓋体天面凸部１２ａｙの曲率半径及び湾曲している向きは、第１の本体窪み部１１ｄ又は第１の蓋体窪み部１２ｄの曲率半径及び湾曲している向きと同等でもよい。
【００４２】
次に、図１を参照しつつ、第２の包装用容器２の詳細（構成・作用効果・用途等）を説明する。
なお、第２の包装用容器２のうち、第１の包装用容器１と同等な部分や相似する部分については、この第１の包装用容器の詳細にて説明したものとして、適宜説明を省略してもよい。
【００４３】
第２の包装用容器２は、食品が盛り付けられる第２の容器本体２１と、この第２の容器本体の開口部分に対して外嵌合して閉蓋する第２の蓋体２２とを備えていてもよい。さらに、第２の容器本体２１と第２の蓋体２２との一方の長手方向の中央部分には、内側に湾曲状に窪んだ第２の窪み部２３が設けられていてもよい。
なお、第２の包装用容器２のサイズは、平面視形状における長手方向の寸法が１２２ｍｍ、短手方向の寸法が９２ｍｍであってもよいが、限定はない。
【００４４】
第２の容器本体２１は、食品が載置される平坦状の第２の本体底部２１ａと、この底部の周縁から斜め上方に立ち上がっている第２の本体側壁部２１ｂと、この第１の本体側壁部の上端縁から外方に延出している第２の本体フランジ部２１ｃとを有していてもよい。さらに、第２の本体底部２１ａ、第２の本体側壁部２１ｂ及び第２の本体フランジ部２１ｃにおける一方の長手方向の中央部分には、内側に湾曲状に窪んだ第２の本体窪み部２１ｄが設けられていてもよい。
なお、第２の容器本体２１の高さ（正面視形状における縦寸法）が２０ｍｍでもよいが、限定はない。
【００４５】
第２の本体底部２１ａは、略中央部分から上方に湾曲して突出している第２の本体底部凸部２１ａｘを有していてもよい。この構成によれば、第１の包装用容器１上に第２の包装用容器２が１つ積み重なる場合、第１の蓋体天面凸部１２ａｙに第２の本体底部凸部２１ａｘが嵌れば、第２の包装用容器の位置を固定し、位置ずれを防止することが期待できる。
なお、第２の本体底部凸部２１ａｘの形状及びサイズは、第１の蓋体天面凸部１２ａｙに嵌る程度でよく、限定はない。第２の本体窪み部２１ｄを一部に含む第２の本体底部２１ａの外周縁の形状は、第２の包装用容器２が第１の蓋体天面部１２ａ上に載置された状態において、第１の蓋体天面凸部１２ａｙと第１の蓋体天面周縁リブ部１２ａｚ、かつ／又は対向する第１の蓋体天面周縁リブ部１２ａｚに挟まれ位置ずれし難い形状であればよく、限定はない。
【００４６】
第２の蓋体２２は、第２の蓋体天面部（符番しない）と、この第２の蓋体天面部の周縁から斜め下方に拡開している第２の蓋体側壁部（符番しない）と、この第２の蓋体側壁部の下端縁から外方に延出している第２の蓋体フランジ部（符番しない）とを有していてよい。さらに、第２の蓋体天面部、第２の蓋体側壁部及び第２の蓋体フランジ部における一方の長手方向の中央部分には、内側に湾曲状に窪んだ第２の蓋体窪み部（符番しない）が設けられていてもよい。
【００４７】
第２の蓋体天面部は、平坦状の第２の蓋体天面中央部（符番しない）と、この第２の蓋体天面中央部の周縁から上方に環状に突出している第２の蓋体天面周縁リブ部（符番しない）とを有していてもよい。
なお、第２の蓋体天面周縁リブ部の内周縁の形状及びサイズは、別の第２の包装用容器２が第２の蓋体天面中央部かつ第２の蓋体天面周縁リブ部内に嵌る程度に載置可能であればよく、限定はない。
【００４８】
次に、図１及び図２を参照しつつ、本包装用容器の実施状況について詳細に説明する。
【００４９】
まず、図１に示すとおり、第１の蓋体天面中央部１２ａｘ上に第２の包装用容器２が１つ積み重なる場合、第１の蓋体天面凸部１２ａｙに第２の本体底部凸部２１ａｘが嵌るように載置してもよい。この構成によれば、第２の包装用容器２が第１の包装用容器１に固定されるため、滑ったり転倒したりするのを防止することができるばかりでなく、第１の包装用容器１と、この第１の包装用容器と相似形な第２の包装用容器２との向きが同一なため、包装用容器全体の一体感を提供することができる。
【００５０】
次に、図１を参照しつつ、図２に示すとおり、第１の蓋体天面中央部１２ａｘ上に第２の包装用容器２が２つ積み重なる場合、第１の包装用容器１に対して双方の第２の包装用容器２，２が９０°回転した向きであり、かつこれらの第２の包装用容器が左右対称、具体的には、第２の窪み部２３，２３が対面する向きに載置してもよい。このとき、第２の包装用容器２，２における第２の窪み部２３，２３のうち、第２の容器本体２１，２１が有する第２の本体窪み部２１ｄ，２１ｄの各々が、第１の蓋体天面凸部１２ａｙの長手方向の端部分に当接すると共に、これら第２の本体窪み部とは反対側に位置する外側に膨らんで湾曲した第２の本体底部の外周縁部分が、この第１の蓋体天面部における第１の蓋体天面周縁リブ部１２ａｚの内側部分に当接してもよい。すなわち、第２の包装用容器２，２の各々が、第１の蓋体天面凸部１２ａｙと第１の蓋体天面周縁リブ部１２ａｚとの間に挟まれた状態で載置されてもよい。換言すれば、第２の本体底部２１ａのうち、第２の本体窪み部２１ｄから、この第２の本体窪み部の反対側に位置するこの第２の本体底部の外周縁部分までの幅は、第１の蓋体天面凸部１２ａｙの長手方向の端部分から同方向の延長線上に位置する第１の蓋体天面周縁リブ部１２ａｚの内周縁までの距離と略同等であってもよい。また、第２の本体底部２１ａのうち、双方の短手方向同士の距離（長手方向の寸法）は、第１の蓋体天面周縁リブ部１２ａｚの内周縁における短手方向の幅と略同等であってもよい。さらに、第２の包装用容器２，２に備えた第２の蓋体２２，２２が有する第２の蓋体フランジ部付近が近接していてもよい。この構成によれば、第２の包装用容器２，２が第１の蓋体天面中央部１２ａｘ内に固定されるため、滑ったり転倒したりするのを防止することができるばかりでなく、第１の包装用容器１に対して、この第１の包装用容器と相似形な第２の包装用容器２，２の向きが±９０°回転して双方向き合っているため、包装用容器全体の丸み感をより一層提供することができる。
【００５１】
また、図示はしないが、第１の包装用容器１に備えた第１の蓋体１２上に、別の第１の包装用容器１（例えば、第１の容器本体１１の容量が少なめな中サイズの包装用容器）が載置可能であってもよい。すなわち、一方の第１の蓋体１２が有する第１の蓋体天面部１２ａに、他方の第１の容器本体１１が有する第１の本体底部１１ａが載置され、この第１の本体底部の外周縁が、一方の第１の蓋体天面周縁リブ部１２ａｚの内周縁に当接してもよい。この構成によれば、第１の包装用容器１のうち、大きいサイズの包装用容器と、これより少し小さめのサイズの包装用容器とを重ね合わせることもできるため、第２の包装容器２と合せて３段階の食品のバリエーションを増やすことができる。
【００５２】
また、図示はしないが、第２の包装用容器２に備えた第２の蓋体２２上に、別の第２の包装用容器２が載置可能であってもよい。すなわち、一方の第２の蓋体２２が有する第２の蓋体天面部に、他方の第２の容器本体２２が有する第２の本体底部２１ａが載置され、この第２の本体底部の外周縁が、一方の第２の蓋体天面周縁リブ部の内周縁に当接してもよい。この構成によれば、同じサイズの包装用容器同士を重ね合わせることもできるため、食品の組み合せのバリエーションを増やすことができる。
【００５３】
したがって、本実施形態における包装用容器は、第１の包装用容器１の平面視形状と第２の包装用容器２の平面視形状との相似比が約３：２であり、この第１の包装用容器上に第２の包装用容器を２つまで載置可能であることにより、この第１の包装用容器に第２の包装用容器が積み重なった状態において見た目上のバランスが最適化されると共に、安定した積み重ね状態を維持することができ、第２の包装用容器が２つ載置可能であれば、消費者に提供する食品のバリエーションを増やすことができる。
【００５４】
また、第２の包装用容器２が、第１の包装用容器１に対して９０度回転させた向きかつ左右対称に載置可能であることにより、この第１の包装用容器上の面積を有効に活用できると共に、載置された２つの第２の包装用容器２，２がこの第１の包装用容器の投影面積内に納まり、全体的にコンパクトな載置状態にて商品を提供することができる。
【００５５】
また、第１の包装用容器１に備えた第１の蓋体１２における第１の蓋体天面部１２ａから上方に突出した第１の蓋体天面凸部１２ａｙに、第２の包装用容器２に備えた第２の容器本体２１における第２の本体底部２１ａが有する第２の本体底凸部２１ａｘが嵌ることにより、１つのこの第２の包装用容器が第１の包装用容器に固定された状態で載置されているため、陳列時や運搬時に第２の包装用容器が滑ったり転倒したりすることを防ぐことができる。
【００５６】
また、第２の包装用容器２に備えた第２の容器本体２１が、一方の長手方向の中央部分が内側に窪んだ第２の窪み部２３を有することにより、上述した第１の蓋体天面凸部１２ａｙを挟んで２つの第２の包装用容器が有する第２の窪み部が互いに向き合うように載置することができる。すなわち、第２の窪み部２３が第２の包装用容器２の載置場所及び載置向きの目印となり、第１の蓋体天面凸部１２ａｙに窪み部２３を当接させることで、この第２の包装用容器をより安定して載置することができる。
【００５７】
また、第２の包装用容器２が、第１の包装用容器１に備えた第１の蓋体１２における第１の蓋体天面部１２ａが有する第１の蓋体天面凸部１２ａｙと第１の蓋体天面周縁リブ部１２ａｚとの間に載置可能であることにより、この第２の包装用容器をこの第１の蓋体天面凸部と第１の蓋体天面周縁リブ部との間の領域に固定させることができる。すなわち、第１の包装用容器の相似形である２つの第２の包装用容器２，２が、第１の包装用容器１に備えた第１の蓋体１２が有する第１の蓋体天面部１２ａ上かつ第１の包装用容器１の投影面積内に納まり、全体的にコンパクトな載置状態にて商品を提供することができる。
【００５８】
なお、本実施形態における包装用容器（第１の包装用容器１及び第２の包装用容器２を含む）は、例えば真空成形、圧空成形、真空圧空成形、両面真空成形、熱板成形等のシート成形で、合成樹脂シートを熱成形することにより形成されてもよい。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂発泡シートの厚みは特に制限はないが、２．０〜３．５ｍｍであればよく、好ましくは２．５〜３．０ｍｍ、より好ましくは２．６〜２．９ｍｍである。合成樹脂発泡シートの坪量は特に制限はないが、１２０〜１５０ｇ／ｍ２であればよく、好ましくは１２５〜１４５ｇ／ｍ２であればよい。
【符号の説明】
【００５９】
１        第１の包装用容器
１１      第１の容器本体
１１ａ    第１の本体底部
１１ｂ    第１の本体側壁部
１１ｃ    第１の本体フランジ部
１１ｄ    第１の本体窪み部
１２      第１の蓋体
１２ａ    第１の蓋体天面部
１２ａｘ  第１の蓋体天面中央部
１２ａｙ  第１の蓋体天面凸部
１２ａｚ  第１の蓋体天面周縁リブ部
１２ｂ    第１の蓋体側壁部
１２ｃ    第１の蓋体フランジ部
１２ｄ    第１の蓋体窪み部
１３      第１の窪み部
２        第２の包装用容器
２１      第２の容器本体
２１ａ    第２の本体底部
２１ａｘ  第２の本体底部凸部
２１ｂ    第２の本体側壁部
２１ｃ    第２の本体フランジ部
２１ｄ    第２の本体窪み部
２２      第２の蓋体
２３      第２の窪み部
【図１】
2018118751.tif 000003
【図２】
2018118751.tif 000004
【図３】
2018118751.tif 000005
【図４】
2018118751.tif 000006
【図５】
2018118751.tif 000007
【図６】
2018118751.tif 000008
【図７】
2018118751.tif 000009
【図８】
2018118751.tif 000010
【図９】
2018118751.tif 000011
【図１０】
2018118751.tif 000012
【図１１】
2018118751.tif 000013
【図１２】
2018118751.tif 000014
【図１３】
2018118751.tif 000015
【図１４】
2018118751.tif 000016